(57)【特許請求の範囲】
【請求項１】
任意の形状に製箱された紙容器の底部に、発熱積層体を装着してなる電子レンジ用包装体において、前記発熱積層体がフランジ付であり、耐熱性フィルムの少なくとも片面に、金属又は金属酸化物の蒸着層を設け、該蒸着層側に基材紙に貼り合わせてなり、該基材紙を外側にして、前記紙容器の形状に合わせトレー状に、フランジの端面が紙容器の内壁にぴったり収まる大きさに成形したことを特徴とする電子レンジ用包装体。
【請求項２】
前記電子レンジ用包装体が、食用油脂でまぶしたコーンを乗せるポップコーン調理用としたことを特徴とする請求項１に記載の電子レンジ用包装体。
【請求項３】
前記紙容器が、四角形、六角形等の形状としたことを特徴とする請求項１または請求項２に記載の電子レンジ用包装体。
【発明の詳細な説明】
【０００１】
【発明の属する技術分野】
本発明は、任意の形状に製箱した紙容器の底部にトレー状に成形した発熱積層体を装着し、食用油脂でまぶしたコーンを乗せて電子レンジでポップさせる電子レンジ用包装体に関するものである。
【０００２】
【従来の技術】
従来より、発熱層を含む積層体を、耐油耐熱性等の処理が施された容器に装着し、電子レンジで調理ができるようにした電子レンジ用包装体が知られている。なかでも、大人も子供も楽しみながら電子レンジで簡単に調理ができるポップコーン用の電子レンジ用包装体が、数多く提案され、実用化されている。
【０００３】
例えば、図５は、耐熱耐油性の紙とプラスチックシートから構成された円筒状のカップ容器の底板３１の裏面に、耐熱性フィルム２３上にマイクロ波を受けて発熱する金属蒸着層２２を設けて、この上から基材紙２１を貼り合わせた発熱積層体２０を前記耐熱性フィルム２３を内側にして貼着し、カップ容器内に食用油脂をまぶした処理コーンＰを収容し、図示はしないが、調理の際の蒸気を逃がす小孔を設けた蓋体を被せ、所定の時間電子レンジにかけて処理コーンをホップさせる電子レンジ用包装体３０である。さらに、図６は、円筒状のカップ容器（上記と同様に構成されたカップ容器）の底板３１の内面に、前記と同様の発熱層を有する発熱積層体２０を、基材紙２１を内側にしてヒートシール等により貼着した、ポップコーン用の電子レンジ用包装体３０である。
【０００４】
しかしながら、図５に示す電子レンジ用包装体３０は、発熱積層体２０と処理コーンＰとの間に、カップ容器３０の底板３１が介在するので、発熱積層体２０の熱が伝わり難い。そのために、処理コーンＰの未ホップ粒が多くなることがある。そこで、処理コーンＰの未ホップ粒を無くすため、長時間電子レンジにかけると、今度はコーンが焦げるなどの問題が起こる。
また、図６に示す電子レンジ用包装体３０は、加熱すると発熱積層体２０の接着面とカップ容器の底板３１との間や基材紙２１と発熱層との間にコーンをまぶした食用油脂が溶けて浸透して、発熱積層体２０の両端部が上方にカールして剥がれたり、基材紙２１と発熱層とが剥がれたりする（図示はしない）。従って、発熱積層体２０が剥がれると処理コーンＰのホツプ率が低下することになり、また剥がれた部分が焦げるなどの問題が発生した。
さらに加えて、これらのカップ容器３０は全て耐油性にする必要があり、コスト高となる。従って、容器の容量を大きくすることも、さらにコストを上昇させることになる。
【０００５】
【発明が解決しようとする課題】
そこで本発明は、上記の問題を解決するためになされたもので、その目的とするところは、ポップコーン等を電子レンジで調理を行っても、油漏れ等のが起こらないような発熱積層体の形状とすることにより、容器においても通常の紙箱の使用を可能とした電子レンジ用包装体を提供することにある。
【０００６】
【課題を解決するための手段】
上記目的を達成するために本発明は、任意の形状に製箱された紙容器の底部に、発熱積層体を装着してなる電子レンジ用包装体において、前記発熱積層体がフランジ付であり、耐熱性フィルムの少なくとも片面に、金属又は金属酸化物の蒸着層を設け、該蒸着層側に基材紙に貼り合わせてなり、該基材紙を外側にして、前記紙容器の形状に合わせトレー状に、フランジの端面が紙容器の内壁にぴったり収まる大きさに成形したことを特徴として、このトレー状の発熱積層体を、前記紙容器の内側底部に装着した電子レンジ用包装体である。
【０００７】
また、この電子レンジ用包装体が、食用油脂でまぶしたコーンを乗せるポップコーン調理用としたことを特徴とするものである。
【０００８】
さらに、前記紙容器が、四角形、六角形等の形状としたことを特徴とするものである。
【０００９】
【発明の実施の形態】
図に基づき実施の形態を説明する。図１は、本発明の参考例および実施例における発熱積層体を示すもので、（Ａ）は、シート状の発熱積層体の断面説明図であり、（Ｂ）は、トレー状に成形した発熱積層体の一例を示す断面説明図であり、（Ｃ）は、フランジ付のトレー状に成形した発熱積層体の一例を示す断面説明図である。また、図２は、本発明の参考例の一実施例における電子レンジ用包装体の説明図であり、図３は、本発明の実施例における電子レンジ用包装体の説明図である。
【００１０】
本発明は、図３に示すように、四角形や六角形等の任意の形状に製箱された紙容器２５の底部に、この紙容器の形状に合わせトレー形状に押圧等により成形された発熱層を有する発熱積層体２０を装着し、食用油脂をまぶした処理コーンＰを、このトレー状の発熱積層体２０内に納めた電子レンジ用包装体である。
【００１１】
この発熱積層体２０は、図１（Ａ）に示すように、ポリエチレンテレフタレート（ＰＥＴ）等の耐熱性フィルム１３の少なくとも片面に、アルミニウムや酸化アルミニウム等の金属又は金属酸化物の蒸着によって金属蒸着層１２を設けて発熱層としたもので、この金属蒸着層１２側に好ましくは耐油性の基材紙１０を貼り合わせたて、発熱積層体２０としたものである。さらに、図１（Ｂ）や図１（Ｃ）に示すように、この発熱積層体２０の基材紙１０を外側にして紙容器の形状（四角形や六角形等）に合わせて、トレー状に押圧して成形したものである。なお、図１（Ｃ）に示すように、このトレー状の発熱積層体２０にはフランジＦを設ける。
【００１２】
図２および図３の概略図は、このトレー状の発熱積層体を紙容器２５の内側底部にぴったり嵌め込むように装着した電子レンジ用包装体である。
すなわち、図２に示すように、発熱積層体２０の基材紙１０を外側にして、後述する紙容器２５の形状と大きさを合わせ、深皿のトレー状に押圧などにより成形したもので、このトレー状の発熱積層体２０の深皿部に処理コーンＰを収容するものである。これにより、電子レンジにかけて処理コーンＰをホップさせると、まぶした食用油脂が溶けても、トレー状の発熱積層体２０の外側には流れ出ない。
【００１３】
また、図３は、電子レンジ用包装体の実施例を示すもので、発熱積層体２０を前記同様に基材紙１０を外側にして、押圧などによりフランジＦ付のトレー状に成形したもので、この際、フランジＦの端面が紙容器２５の内壁にぴったり収まる大きさにしたものである。このフランジＦは、溶けた油が深皿部の外側に跳ねても、フランジで受けて発熱積層体と紙容器との間に流れないようにしたものである。なお、このフランジは特に限定しない
。
【００１４】
図４は、電子レンジ用包装体に用いる紙容器の一例を示すもので、（Ａ）は、ブランクの平面図であり、（Ｂ）は、その組立図である。
本発明における紙容器２５は、特に限定はされないが、従来と異なり、紙質はトレー状の発熱積層体２０により油漏れがないので、耐油耐熱性の必要性がなく通常スナック菓子などに使用している板紙でよい。また、紙容器２５の上蓋や底蓋は接着方式または組立方式のいずれでもよく、形状も円筒型を除く四角形、六角形等でよいが、上蓋等を破って内容物を取り出すこともできるが、好ましくは図に示すようにポップコーンの取出口Ｔを設けると良い。
【００１５】
以上の構成による本発明の電子レンジ用包装体は、発熱積層体２０と処理コーンＰとの間は耐熱性フィルム１３のみであり、発熱部の熱は底部および周囲の側壁から直接コーンに伝わるので、コーンの未ホップ粒が無くなる。従って、熱効率がよく短時間でホップを完了させることができるので、コーンが焦げない。
また、トレー状の発熱積層体２０とすることで、溶けた油が外に流れることがないので、発熱部が剥がれることがなくなりホップ率が低下しない。また発熱積層体２０が、剥がれて焦げることがない。
【００１６】
ここで本発明の電子レンジ用包装体（図３に示す）と、従来の電子レンジ用包装体（図５と図６に示す）を用いて、処理コーンを入れ電子レンジによるポップコーン製造の比較テストを行ってみた。
〔テスト条件〕
・使用した食材は、コーン（１５０粒）を食用油脂で固めたもの。
・電子レンジ加熱出力、５００ｗ。
・加熱時間、２分、２分３０秒、１０分。
・評価方法、未ホップ粒を数えた。
以上のテスト結果を表１に示す。
【００１７】
【表１】
0003804122.tif 000002
【００１８】
結果は、本発明の電子レンジ用包装体は、２分の加熱時間で全てのコーンがホップした。また、従来の電子レンジ用包装体では、いずれの包装体も、２分及び２分３０秒の電子レンジによる加熱で発熱積層体が剥がれてしまい、従って、未ホップ粒が多く、しかも剥がれた部分に焦げが生じた。また、加熱時間が１０分間ではいずれの包装体も全てホップしたが、ホップコーンは全て焦げていた。
【００１９】
【発明の効果】
本発明は以上の構成であるから、下記に示す如き効果がある。
すなわち、発熱積層体と処理コーンとの間は耐熱性フィルムのみであり、発熱部の熱は底部および周囲の側壁から直接コーンに伝わるので、コーンの未ホップ粒が無くなった。従って、熱効率がよく短時間でホップを完了させることができるので、コーンが焦げない。
また、トレー状の発熱積層体とすることで、溶けた油が外に流れることがないので、発熱部が剥がれることがなくなり、従ってホップ率が低下せず、かつ発熱積層体が、剥がれて焦げることがない。
さらに、本発明に用いる紙容器は、従来と異なり、トレー状の発熱積層体により油漏れがないので、紙質は耐油耐熱性の必要性がなく、通常スナック菓子などに使用している板紙でよいためコストがかからないので、紙容器の容量も大きくすることができる等の優れた効果を奏する。
【図面の簡単な説明】
【図１】参考例および本発明の実施例における発熱積層体を示すもので、（Ａ）は、シート状の発熱積層体の断面説明図であり、（Ｂ）は、トレー状に成形した発熱積層体の一例を示す断面説明図であり、（Ｃ）は、フランジ付のトレー状に成形した発熱積層体の一例を示す断面説明図である。
【図２】参考例の一実施例における電子レンジ用包装体の説明図である。
【図３】本発明の他の実施例における電子レンジ用包装体の説明図である。
【図４】本発明の一実施例における電子レンジ用包装体に用いる紙容器を示すもので、（Ａ）は、ブランクの平面図であり、（Ｂ）は、紙容器の斜視図である。
【図５】従来におけるカップ状容器による、電子レンジ用包装体の一例を示す断面説明図である。
【図６】従来におけるカップ状容器による、電子レンジ用包装体の他の一例を示す断面説明図である。
【符号の説明】
１０，２１  …基材紙
１１  …接着剤
１２，２２…金属蒸着層
１３，２３…耐熱性フィルム
２０  …発熱積層体
２５  …紙容器
３０  …カップ状の紙容器
３１  …底板
Ｐ  …処理コーン
Ｔ  …取出口
【図１】
0003804122.tif 000003
【図２】
0003804122.tif 000004
【図３】
0003804122.tif 000005
【図４】
0003804122.tif 000006
【図５】
0003804122.tif 000007
【図６】
0003804122.tif 000008